(57)【要約】【課題】ユーザが主体的に録画の操作をしなくても、ウェアラブルカメラにより撮像された映像の録画を開始して録画漏れを低減する。【解決手段】ユーザの装着又は所持が可能なウェアラブルカメラ１０と、ウェアラブルカメラ１０と通信路を介して接続可能な含む本部装置とを有するウェアラブルカメラシステムであって、本部装置は、音声信号による指示情報を生成するＤＴＭＦ生成部９６と、音声信号による第１の録画開始指示を送信する警察無線基地局装置９７と、通信符号による第２の録画開始指示を送信するバックエンドクライアント９５と、を備え、第１の録画開始指示と第２の録画開始指示とのうち、少なくとも一方の録画開始指示をウェアラブルカメラ１０に対して送信し、ウェアラブルカメラ１０は、本部装置から送信された第１の録画開始指示又は第２の録画開始指示を受信した場合に、撮像部により撮像された被写体の映像の録画を開始する。【選択図】図５
2018037963.tif 000002
【特許請求の範囲】
【請求項１】
ユーザの装着又は所持が可能なウェアラブルカメラと、前記ウェアラブルカメラと通信路を介して接続可能な本部装置とを有するウェアラブルカメラシステムであって、
前記ウェアラブルカメラは、
被写体を撮像する撮像部と、
撮像された前記被写体の映像を録画する記録部と、
前記本部装置からの指示を受信する受信部と、を備え、
前記本部装置は、
音声信号による指示情報を生成する音声コマンド生成部と、
前記音声信号による第１の録画開始指示を送信する第１送信部と、
通信符号による第２の録画開始指示を送信する第２送信部と、を備え、
前記第１の録画開始指示と前記第２の録画開始指示とのうち、少なくとも一方の録画開始指示を前記ウェアラブルカメラに対して送信し、
前記ウェアラブルカメラは、
前記本部装置から送信された前記第１の録画開始指示又は前記第２の録画開始指示を受信した場合に、前記撮像部により撮像された前記被写体の映像の録画を開始する、
ウェアラブルカメラシステム。
【請求項２】
請求項１に記載のウェアラブルカメラシステムであって、
前記ユーザにおいて装着又は所持し音声通話が可能な無線通信端末を備え、
前記本部装置は、
前記第１送信部として、前記無線通信端末との間で無線通信を行う無線通信装置を備え、
前記無線通信装置によって前記第１の録画開始指示を前記無線通信端末に対して送信し、
前記ウェアラブルカメラは、
前記受信部として、前記無線通信端末の受信音声を収音する収音部を備え、
前記収音部により前記第１の録画開始指示を受信した場合に、前記撮像部により撮像された前記被写体の映像の録画を開始する、
ウェアラブルカメラシステム。
【請求項３】
請求項１に記載のウェアラブルカメラシステムであって、
前記本部装置は、
前記ウェアラブルカメラに対して前記第２の録画開始指示を送信し、前記第２の録画開始指示に対する前記ウェアラブルカメラからの応答が受信できない場合に、前記第１の録画開始指示を送信する、
ウェアラブルカメラシステム。
【請求項４】
請求項１に記載のウェアラブルカメラシステムであって、
前記本部装置は、
前記第１の録画開始指示を送信する場合、複数の前記ウェアラブルカメラに対して前記第１の録画開始指示を同報送信する、
ウェアラブルカメラシステム。
【請求項５】
ユーザの装着又は所持が可能なウェアラブルカメラと、前記ウェアラブルカメラと通信路を介して接続可能な本部装置とを有するウェアラブルカメラシステムにおける録画制御方法であって、
前記本部装置は、
音声信号による指示情報を生成し、
前記音声信号による第１の録画開始指示と、通信符号による第２の録画開始指示とのうち、少なくとも一方の録画開始指示を前記ウェアラブルカメラに対して送信し、
前記ウェアラブルカメラは、
被写体を撮像し、
前記本部装置から送信された前記第１の録画開始指示又は前記第２の録画開始指示を受信した場合に、撮像された前記被写体の映像の録画を開始する、
録画制御方法。
【発明の詳細な説明】
【技術分野】
【０００１】
本発明は、ウェアラブルカメラにより撮像された映像の録画を制御するウェアラブルカメラシステム及び録画制御方法に関する。
【背景技術】
【０００２】
近年、警察官や警備員の業務を効率的に支援するために、例えばパトロール時に警察官にウェアラブルカメラを装着又は所持させる運用の検討が進められている。
【０００３】
ウェアラブルカメラを用いた先行技術として、例えば特許文献１に記載されたウェアラブル監視カメラシステムがある。特許文献１のウェアラブル監視カメラシステムは、身体に装着するＣＣＤカメラ及びマイクからの画像（映像）信号及び音声信号、並びに内蔵のクロックからの日時情報信号を、体に装着されるポーチに収納可能なエンコードサーバーによりエンコードし、また、文字情報に変換した日時情報を撮像した画像にスーパーインポーズして記録可能な構成を有している。
【先行技術文献】
【特許文献】
【０００４】
【特許文献１】特開２００６−１４８８４２号公報
【発明の概要】
【発明が解決しようとする課題】
【０００５】
ここで、特許文献１のウェアラブルカメラを警察官に装着して使用する場合を想定する。警察官が特許文献１のウェアラブルカメラを体に装着して使用する場合、警察官は、不審者や盗難車などの監視対象を発見すると、録画スイッチを押下して、画像データ（画像信号）の録画を開始することが想定される。
【０００６】
ところが、事件が突発的に発生した場合、警察官は、初期動作又は初期捜査が重要であることに鑑みて、事件に対して様々なことに急いで対応しなければならない。特許文献１の構成では、事件の現場においてウェアラブルカメラの録画スイッチを押下する余裕を持てずに映像の録画を失念してしまうと、結果的に、録画漏れしてしまうことがある。つまり、事件に関する現場や被疑者等の証拠映像の録画をウェアラブルカメラに残すことができず、事件現場の映像が得られないことによって、管轄する警察署が事件の発生に対し迅速かつ適切な対応がとれず、事件の早期解決が難しくなるという課題があった。また、証拠映像の録画ができていなければ、後の裁判等において十分な証拠を提示できないがために、大いに支障を来す可能性がある。
【０００７】
本発明は、上述した従来の事情に鑑みて案出され、ユーザが主体的に録画の操作をしなくても、ウェアラブルカメラにより撮像された映像の録画を開始して録画漏れを低減し、業務を効率的に支援するウェアラブルカメラシステム及び録画制御方法を提供することを目的としている。
【課題を解決するための手段】
【０００８】
本発明は、ユーザの装着又は所持が可能なウェアラブルカメラと、前記ウェアラブルカメラと通信路を介して接続可能な本部装置とを有するウェアラブルカメラシステムであって、前記ウェアラブルカメラは、被写体を撮像する撮像部と、撮像された前記被写体の映像を録画する記録部と、前記本部装置からの指示を受信する受信部と、を備え、前記本部装置は、音声信号による指示情報を生成する音声コマンド生成部と、前記音声信号による第１の録画開始指示を送信する第１送信部と、通信符号による第２の録画開始指示を送信する第２送信部と、を備え、前記第１の録画開始指示と前記第２の録画開始指示とのうち、少なくとも一方の録画開始指示を前記ウェアラブルカメラに対して送信し、前記ウェアラブルカメラは、前記本部装置から送信された前記第１の録画開始指示又は前記第２の録画開始指示を受信した場合に、前記撮像部により撮像された前記被写体の映像の録画を開始する、ウェアラブルカメラシステムを提供する。
【０００９】
また、本発明は、ユーザの装着又は所持が可能なウェアラブルカメラと、前記ウェアラブルカメラと通信路を介して接続可能な本部装置とを有するウェアラブルカメラシステムにおける録画制御方法であって、前記本部装置は、音声信号による指示情報を生成し、前記音声信号による第１の録画開始指示と、通信符号による第２の録画開始指示とのうち、少なくとも一方の録画開始指示を前記ウェアラブルカメラに対して送信し、前記ウェアラブルカメラは、被写体を撮像し、前記本部装置から送信された前記第１の録画開始指示又は前記第２の録画開始指示を受信した場合に、撮像された前記被写体の映像の録画を開始する、録画制御方法を提供する。
【発明の効果】
【００１０】
本発明によれば、ユーザが主体的に録画の操作をしなくても、ウェアラブルカメラにより撮像された映像の録画を開始して録画漏れを低減することができ、業務を効率的に支援することができる。
【図面の簡単な説明】
【００１１】
【図１】本実施形態のウェアラブルカメラシステムの概要の一例を示す説明図
【図２】本実施形態のウェアラブルカメラを装着した警察官の上半身の一例を示す図
【図３】本実施形態のウェアラブルカメラの筐体の表側の面の一例を示す正面図
【図４】本実施形態のウェアラブルカメラの内部構成の一例を示すブロック図
【図５】本実施形態のウェアラブルカメラシステムの使用状態でのシステム構成の一例を示すブロック図
【図６】本実施形態の指令システムの構成の一例を示すブロック図
【図７】本実施形態において使用するＤＴＭＦ信号の一例を示す図であり、（Ａ）は信号フォーマットの一例を示す図、（Ｂ）は各信号ブロックの値の具体例を示す図
【図８】第１の実施形態のウェアラブルカメラシステムにおける録画開始手順の一例を示すシーケンス図
【図９】第２の実施形態のウェアラブルカメラシステムにおける録画開始手順の一例を示すシーケンス図
【図１０】第３の実施形態のウェアラブルカメラ及び警察無線端末の構成の一例を示すブロック図
【図１１】第３の実施形態のウェアラブルカメラシステムにおける録画開始手順の一例を示すシーケンス図
【図１２】本実施形態のウェアラブルカメラにおける録画処理の一例を示すフローチャート
【図１３】本実施形態のバックエンドクライアントにおける録画処理の一例を示すフローチャート
【発明を実施するための形態】
【００１２】
以下、適宜図面を参照しながら、本発明に係るウェアラブルカメラシステム及び録画制御方法を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１３】
図１は、本実施形態のウェアラブルカメラシステム５の概要の一例を示す図である。ウェアラブルカメラシステム５は、パトカー（つまり、パトロールカーの略称であるパトカー）７に搭載された車載カメラシステム（ＩＣＶ：In Car Videoシステム）３０、警察官３の制服に装着されたウェアラブルカメラ（ＢＷＣ：Body-Worn Camera）１０、及び警察署４内に設置された署内システム８を含む構成である。
【００１４】
車載カメラシステム３０は、１つ又は複数の車載カメラ３１、車載ＰＣ（Personal Computer）３２及び車載レコーダ３３を有し、パトカー７で走行中に遭遇する事件等の撮像画像に基づく映像を撮像して記録する。１つ又は複数の車載カメラ３１は、例えばパトカー７の前方を撮像するように設置されたカメラ、パトカーの左側、右側、後方を撮像するように設置されたそれぞれのカメラのうち、１つ又は複数を含む。車載ＰＣ３２は、警察官３が操作する指示に従い、車載カメラ３１及び車載レコーダ３３の動作を制御する。車載レコーダ３３は、複数の車載カメラ３１でそれぞれ撮像された映像データを時系列に記録する。
【００１５】
車載カメラシステム３０は、署内システム８内のバックエンドサーバ（ＢＥＳ：Back End Server）５０と無線接続され、車載レコーダ３３に記録された映像データの中から特定の映像データを選択してバックエンドサーバ５０に送信可能である。また、車載カメラシステム３０は、ウェアラブルカメラ１０と通信可能に接続され、ウェアラブルカメラ１０で撮像された映像データ及び収音された音声データを車載レコーダ３３に記録する。以下の説明において、音声データには、例えばパトロール中や事件の現場に事件の被疑者、犯人が所持している拳銃が発砲した時の銃声も含まれるとする。
【００１６】
ウェアラブルカメラ１０は、ユーザである警察官３の制服に装着され、警察官の前方を被写体として撮像し、撮像された映像データ及び収音された音声データを車載カメラシステム３０に送信する。以下、ウェアラブルカメラ１０や車載カメラ３１の撮像対象となる被写体には、単に人物だけではなく、事件の現場の情景、現場の近くに群がる群衆（いわゆる、野次馬）、更に、撮像位置の周囲の雰囲気も含まれるとする。また、警察官３は、指令システム９０からの指令を受信する無線通信端末の一例としての警察無線端末３５を所持する。通常、警察官３は、パトロール中や事件発生時に現場に急行する場合など、警察署外での活動の際に、警察無線端末３５を現場に携行している。また、警察官３は、ウェアラブルカメラ１０と通信可能な通信端末の一例としてのスマートフォン４０を所持する場合もある。スマートフォン４０は、電話機能及び無線通信機能を有し、例えば警察署からの緊急連絡又は警察署への緊急連絡時に使用され、汎用的に使用されている携帯端末の一例として挙げられる。
【００１７】
ウェアラブルカメラ１０は、車載カメラシステム３０を介して、直接に、或いはスマートフォン４０又は無線ＬＡＮ（Local Area Network）アクセスポイント４５を介して、バックエンドサーバ５０と接続されることで、映像データ及び音声データをバックエンドサーバ５０に送信可能である。スマートフォン４０は、モバイル通信ネットワーク又はインターネット網を経由してバックエンドサーバ５０と接続される。無線ＬＡＮアクセスポイント４５は、有線又は無線のネットワーク（インターネット網など）を経由してバックエンドサーバ５０と接続される。また、ウェアラブルカメラ１０は、手動で後述する集合充電台６８に取り付けられることで、映像データ及び音声データをバックエンドサーバ５０に送信可能である。
【００１８】
署内システム８は、警察署４の内部に設置された、バックエンドサーバ５０、バックエンドストリーミングサーバ（ＢＳＳ：Back End Streaming Server）６５、バックエンドクライアント（ＢＥＣ：Back End Client）７０、無線ＬＡＮアクセスポイント６３、集合充電台６８、及び指令システム９０を含む構成である。
【００１９】
バックエンドサーバ５０は、コンピュータ及びストレージを有して構成され、事件の証拠映像を管理する。バックエンドサーバ５０は、例えばウェアラブルカメラ１０や車載カメラ３１により撮像された映像を構成する画像フレーム中の顔を認識する顔認識機能や、ウェアラブルカメラ１０や車載カメラシステム３０から送信された切出しデータ（後述参照）に含まれる音声データを認識する音声認識機能を有する。また、バックエンドサーバ５０は、パトロール又は事件に関する既定の音声データ（つまり、パトロール中や事件の現場において発生する可能性の高い音声の音声データ）が登録された音声データベース（不図示）を有する。パトロール又は事件に関する既定の音声データは、例えば被疑者や警察官が発砲した時の銃声、パトロールや事件の際に身の危険を感じた時に発するように予め指導等された警察官が発した音声、警察官が地面等に倒れた時の音（例えば「ドサッ」）等の音声データが含まれる。バックエンドサーバ５０は、車載カメラシステム３０或いはウェアラブルカメラ１０から送信される切出しデータ（後述参照）に含まれる音声データに対して音声認識を行い、音声認識により得られた音声と音声データベースに登録された音声とを照合する。なお、音声データベースを記憶するストレージは、バックエンドサーバ５０がアクセス可能である限り、警察署４の内部に設置されてもよいし、警察署４の外部に設置されてよい。
【００２０】
バックエンドストリーミングサーバ６５は、ウェアラブルカメラ１０からストリーミング配信される映像データを受信し、バックエンドサーバ５０に転送する。また、バックエンドストリーミングサーバ６５は、車載カメラシステム３０からストリーミング配信される映像データを受信し、バックエンドサーバ５０に転送してもよい。
【００２１】
バックエンドクライアント７０は、例えばＰＣにより構成され、バックエンドサーバ５０の不審人物データベース（不図示）にアクセスし、犯罪者等の事件に関する情報を検索してその検索結果をディスプレイデバイス（例えばバックエンドクライアント７０に予め備え付けのＬＣＤ（Liquid Crystal Display））上に表示可能なブラウザを有する。不審人物データベースには、例えば指名手配中の人物や過去の犯罪者等が事件を識別する情報（例えば事件番号）に対応付けて予め登録されている。また、バックエンドクライアント７０は、バックエンドサーバ５０の音声データベースにアクセスし、犯罪者等の事件に関する情報を検索可能である。なお、バックエンドクライアント７０は、警察署４の内部に設置されるだけでなく、警察署４の外部に設置されたものでもよい。また、バックエンドクライアント７０は、シンクライアントＰＣ或いはリッチクライアントＰＣのいずれであってもよい。
【００２２】
無線ＬＡＮアクセスポイント６３は、車載カメラシステム３０及びウェアラブルカメラ１０と無線ＬＡＮ（Ｗ−ＬＡＮ）によって無線接続し、車載カメラシステム３０に記録された映像データ及び音声データと、ウェアラブルカメラ１０に記録された映像データ及び音声データをバックエンドサーバ５０に転送する。
【００２３】
集合充電台６８は、複数の警察官３がそれぞれ装着又は所持するウェアラブルカメラ１０を装着可能であり、装着された個々のウェアラブルカメラ１０の電源を充電するとともに、ウェアラブルカメラ１０との間で有線通信を行い、ウェアラブルカメラ１０に記憶された映像データ及び音声データをバックエンドサーバ５０に送信する機能を有する。また、集合充電台６８は、ＵＳＢ（Universal Serial Bus）ケーブルを介してバックエンドサーバ５０に有線接続される。
【００２４】
指令システム９０は、無線通信装置の一例としての警察無線基地局装置を有し、バックエンドサーバ５０と接続され、警察署４が管轄する各所に指令を送信する。警察署４には、各警察官に指令を伝達するための警察無線システムが設置されている。指令システム９０は、事件が発生した場合に、例えばバックエンドサーバ５０からの指示に従い、事件の現場への派遣対象となる警察官が乗車するパトカー７又は警察官が所持する警察無線端末３５に対し、現場急行や、現場確保、被疑者確保、現場に到着した警察官の応援等の各種の出動指令を無線で送信する。なお、指令システム９０は、警察官が入力操作する指示に従い、事件の現場に派遣する警察官に指令を出してもよい。また、指令システム９０は、バックエンドサーバ５０と直接に接続されていなくてもよく、事件が発生した場合に、バックエンドサーバ５０とは独立して、警察無線基地局装置から、事件の現場への派遣対象となるパトカー７又は警察無線端末３５に対し、上記各種の出動指令を無線で送信してもよい。
【００２５】
ウェアラブルカメラシステム５において、車載カメラシステム３０を使用する場合、ウェアラブルカメラ１０は、近距離無線通信、又はＵＳＢ等の信号ケーブルを用いた有線通信によって、車載カメラシステム３０とデータ転送可能に接続される。ウェアラブルカメラ１０で撮像された映像データ及び収音された音声データは、車載カメラシステム３０に転送され、車載カメラシステム３０で再生或いは録画、録音され、また、バックエンドサーバ５０に送信される。
【００２６】
車載カメラシステム３０は、車載カメラ３１で撮像された映像データ及びウェアラブルカメラ１０で撮像された映像データ及び音声データを車載レコーダ３３に記録し、ウェアラブルカメラ１０により収音された音声の区間を切り出し、切り出された音声を含む切出しデータを、無線ＬＡＮを経由してバックエンドサーバ５０に送信する。音声区間の切り出しは、突発的に大音量の音声が現れた場合、その音声を含むように行われる。なお、音声区間の切り出しは、一定の周期で一定区間サンプリングするように行われてもよい。この場合、突発的な音声が現れていない区間では、周囲の小さな音量の音声だけが切り出される。
【００２７】
また、ウェアラブルカメラシステム５において、ウェアラブルカメラ１０を直接ネットワークに接続して使用する場合、ウェアラブルカメラ１０は、無線ＬＡＮアクセスポイント４５又はスマートフォン４０とデータ転送可能に接続される。ウェアラブルカメラ１０とスマートフォン４０との接続は、例えば、ＢＬＥ（Bluetooth（登録商標） Low Energy ）等の近距離無線通信、或いは、ウェアラブルカメラ１０又はスマートフォン４０の一方を無線ＬＡＮアクセスポイントとして機能させるテザリングによる無線ＬＡＮ通信が用いられる。ウェアラブルカメラ１０は、記録された映像データ及び音声データを無線ＬＡＮアクセスポイント４５又はスマートフォン４０を経由してバックエンドサーバ５０に送信する。
【００２８】
また、警察官３は、警察署４に戻り、集合充電台６８にウェアラブルカメラ１０を装着することで、集合充電台６８は、ウェアラブルカメラ１０を充電するとともに、ＵＳＢケーブルを介してウェアラブルカメラ１０に記録された映像データ及び音声データをバックエンドサーバ５０に送信可能である。
【００２９】
バックエンドサーバ５０は、バックエンドストリーミングサーバ６５を経由して、或いはウェアラブルカメラ１０又は車載カメラシステム３０から直接、映像データを受信すると、伝送された映像データをストレージに記録し蓄積する。また、バックエンドサーバ５０は、車載カメラシステム３０及びウェアラブルカメラ１０から切出しデータを受信すると、切出しデータに含まれる音声を認識し、パトロール又は事件に関する既定の音声データが予め登録された音声データベースに登録された音声との照合を行い、照合の結果を、車載カメラシステム３０及びウェアラブルカメラ１０に通知する。
【００３０】
また、警察官３がバックエンドクライアント７０を操作してバックエンドサーバ５０に対し事件に関連する音声を探索する等の処理を要求すると、バックエンドサーバ５０は、バックエンドクライアント７０からの要求に応じ、音声データベースに登録された音声の照会等を行う。
【００３１】
図２は、本実施形態のウェアラブルカメラ１０を装着した警察官３の上半身の一例を示す図である。ウェアラブルカメラ１０は、警察官３の前方を撮像可能なように、警察官３の制服の前部に置かれる。例えばウェアラブルカメラ１０は、首から紐で吊り下げた状態で制服の前部に固定されてもよいし、ウェアラブルカメラ１０の筐体１０ｚ（図３参照）の背面に取り付けられた取付具（例えば取付用クリップ）と制服の前部に取り付けられた被取付具とが係合することで制服の前部に固定されてもよい。
【００３２】
図３は、本実施形態のウェアラブルカメラ１０の筐体１０ｚの表側の面の一例を示す正面図である。筐体１０ｚの表側の面には、録画スイッチＳＷ１、スナップショットスイッチＳＷ２及び撮像レンズ１１ｚが配置される。録画スイッチＳＷ１は、短押しされることで録画の開始を指示し、長押し（例えば３秒間の押し状態が継続された操作）されることで録画の停止を指示する。スナップショットスイッチＳＷ２は、押下される度に、撮像部１１により撮像される静止画の記録を指示する。撮像レンズ１１ｚは、ウェアラブルカメラ１０により撮像される被写体の光学像を撮像部１１（図４参照）の撮像面に結像させる。
【００３３】
筐体１０ｚの側面には、通信モードスイッチＳＷ３及び属性情報付与スイッチＳＷ４が配置される。筐体１０ｚの上面には、３個のＬＥＤ２６ａ，２６ｂ，２６ｃが配置される。ＬＥＤ２６ａは、ウェアラブルカメラ１０の電源オン／オフの状態及びバッテリ２５（図４参照）の状態を表示する。ＬＥＤ２６ｂは、ウェアラブルカメラ１０の撮像動作の状態を表示する。ＬＥＤ２６ｃは、ウェアラブルカメラ１０の通信モードの状態を表示する。
【００３４】
図４は、本実施形態のウェアラブルカメラ１０の内部構成の一例を示すブロック図である。ウェアラブルカメラ１０は、撮像部１１と、ＧＰＩＯ１２（General Purpose Input/Output）と、ＲＡＭ（Random Access Memory）１３と、ＲＯＭ（Read Only Memory）１４と、記憶部１５と、を備える。ウェアラブルカメラ１０は、ＥＥＰＲＯＭ（Electrically Erasable Programmable ROM）１６と、ＲＴＣ（Real Time Clock)１７と、ＧＰＳ（Global Positioning System）受信部１８と、を備える。ウェアラブルカメラ１０は、ＭＣＵ（Micro Controller Unit）１９と、通信部２１と、ＵＳＢインターフェース（Ｉ／Ｆ）２２と、コンタクトターミナル２３と、電源部２４と、バッテリ２５と、を備える。
【００３５】
ウェアラブルカメラ１０は、録画スイッチＳＷ１と、スナップショットスイッチＳＷ２と、通信モードスイッチＳＷ３及び属性情報付与スイッチＳＷ４と、を備える。
【００３６】
ウェアラブルカメラ１０は、３個のＬＥＤ（Light Emitting Diode）２６ａ，２６ｂ，２６ｃと、バイブレータ２７と、を備える。
【００３７】
撮像部１１は、撮像レンズ１１ｚ（図３参照）と、ＣＣＤ（Charge Coupled Device）型イメージセンサ又はＣＭＯＳ（Complementary Metal Oxide Semiconductor）型イメージセンサ等による固体撮像素子と、を有する。撮像部１１は、撮像により得られた被写体の画像データをＭＣＵ１９に出力する。
【００３８】
ＧＰＩＯ１２は、パラレルインターフェースである。ＧＰＩＯ１２には、録画スイッチＳＷ１、スナップショットスイッチＳＷ２、通信モードスイッチＳＷ３、属性情報付与スイッチＳＷ４、ＬＥＤ２６ａ，２６ｂ，２６ｃ、バイブレータ２７、ＬＣＤ２８、イヤホン端子２９Ｃ、スピーカ２９Ｂ及びマイクロホン２９Ａが接続される。ＧＰＩＯ１２は、これらの各種電子部品とＭＣＵ１９との間で信号を入出力する。受信部及び収音部の一例としてのマイクロホン２９Ａは、ウェアラブルカメラ１０の周囲の音声を収音し、収音された音声の音声データを、ＧＰＩＯ１２を介してＭＣＵ１９に出力する。なお、マイクロホン２９Ａは、ウェアラブルカメラ１０の筐体１０ｚに収容された内蔵マイクであってもよいし、ウェアラブルカメラ１０と無線接続されたワイヤレスマイクであってもよい。ワイヤレスマイクの場合、警察官が任意の箇所に取り付けることで、収音性を高めることができる。また、ジャイロセンサＧＹ及び加速度センサＡＣ、ＡＤコンバータＣＶは、通信インターフェースの一例としてのＩ２Ｃ（Inter-Integrated Circuit）２０によってＭＣＵ１９と接続される。
【００３９】
ＲＡＭ１３は、例えばＭＣＵ１９の動作において使用されるワークメモリである。ＲＯＭ１４は、例えばＭＣＵ１９を制御するためのプログラム及びデータを予め記憶する。
【００４０】
記録部の一例としての記憶部１５は、例えばメモリカード等の記憶媒体により構成され、自動録画開始等の指示（つまり、録画開始指示）に基づき、撮像部１１で撮像された映像データの記録を開始する。記憶部１５は、撮像された所定時間の映像データを常時プリバッファリングして保持しておき、例えば現在時刻より３０秒前までの映像データを蓄積し続ける。そして、録画開始指示を受けると、記憶部１５は、映像データの記録を開始し、録画停止指示を受けるまでこれ以降の映像データの記録を継続する。また、記憶部１５は、解像度アップ情報等が設定された設定データファイルを有する。例えば記憶部１５がメモリカードで構成される場合、ウェアラブルカメラ１０の筐体１０ｚに挿抜自在に装着される。
【００４１】
ＥＥＰＲＯＭ１６は、例えばウェアラブルカメラ１０を識別する識別情報（例えばＣａｍｅｒａ  ＩＤとしてのシリアル番号）、及び各種設定情報を記憶する。ＲＴＣ１７は、現在の時刻情報をカウントしてＭＣＵ１９に出力する。
【００４２】
ＧＰＳ受信部１８は、現在のウェアラブルカメラ１０（自装置）の位置情報及び時刻情報をＧＰＳ発信機（不図示）から受信し、ＭＣＵ１９に出力する。時刻情報は、ウェアラブルカメラ１０のシステム時刻の補正のためにも使用される。システム時刻は、撮像された画像（静止画、動画を含む）の撮像時刻の記録等に利用される。
【００４３】
ＭＣＵ１９は、ウェアラブルカメラ１０の制御部としての機能を有し、例えばウェアラブルカメラ１０の各部の動作を全体的に統括するための制御処理、ウェアラブルカメラ１０の各部との間のデータの入出力処理、データの演算（計算）処理及びデータの記憶処理を行う。ＭＣＵ１９は、ＲＯＭ１４に記憶されたプログラム及びデータに従って動作する。ＭＣＵ１９は、動作時、ＲＡＭ１３を使用し、ＲＴＣ１７より現在の時刻情報を得るとともに、ＧＰＳ受信部１８から現在の位置情報を得る。
【００４４】
ＭＣＵ１９は、アプリケーションプログラムの実行により実現可能な検知部１９ｚを有し、この検知部１９ｚを用いて、マイクロホン２９Ａにより収音された音声データのうち音声の区間を切り出した音声データを生成する。また、検知部１９ｚは、マイクロホン２９Ａにより収音されたアナログ音の音声データにおいて、後述するＤＴＭＦ信号等による音声信号による指示を検知する。ＭＣＵ１９は、検知部１９ｚにより取得した指示に対応するウェアラブルカメラ１０の動作を実行させる。
【００４５】
通信部２１は、検知部１９ｚで生成された音声データをバックエンドサーバ５０に送信するものであり、例えばＯＳＩ（Open Systems Interconnection）参照モデルの第１層である物理層において、通信部２１とＭＣＵ１９との接続を規定する。通信部２１は、この規定に従って、例えばＢＬＥによる無線通信、又は無線ＬＡＮによる無線通信（例えばＷｉ−ｆｉ（登録商標））を行う。通信部２１は、指令システム９０からの指示を受信する受信部として機能する。なお、通信部２１は、ＮＦＣ：Near Field Communication）等の近距離無線通信を行ってもよい。
【００４６】
ＵＳＢインターフェース２２は、シリアルバスであり、例えば車載カメラシステム３０、警察署内のバックエンドクライアント７０等との接続を可能とする。
【００４７】
コンタクトターミナル２３は、クレードル（不図示）又は外付けアダプタ（不図示）等と電気的に接続するための端子であり、ＵＳＢインターフェース２２を介してＭＣＵ１９に接続され、また、電源部２４と接続される。コンタクトターミナル２３は、コンタクトターミナル２３を介して、バッテリ２５を充電し、また、画像データ等を通信可能である。
【００４８】
コンタクトターミナル２３には、例えば「充電端子Ｖ＋」、「ＣＯＮ．ＤＥＴ端子」、「データ端子Ｄ−，Ｄ＋」及び「グランド端子」（いずれも図示省略）が設けられる。ＣＯＮ．ＤＥＴ端子は、電圧及び電圧変化を検出するための端子である。データ端子Ｄ−，Ｄ＋は、例えばＵＳＢコネクタ端子を介して、外部ＰＣ等に対してウェアラブルカメラ１０で撮像した画像等を転送するための端子である。コンタクトターミナル２３の検知端子であるＣＯＮ．ＤＥＴ端子は、ＡＤコンバータＣＶを介してＩ２Ｃ２０に接続され、コンタクトターミナル２３の検知電圧値がＭＣＵ１９に入力される。
【００４９】
コンタクトターミナル２３と、クレードル（不図示）又は外付けアダプタ（不図示）のコネクタとが接続されることにより、ウェアラブルカメラ１０と外部機器との間でデータ通信が可能となる。
【００５０】
電源部２４は、例えばコンタクトターミナル２３を介してクレードル又は外付けアダプタより供給される電源電力をバッテリ２５に給電して、バッテリ２５を充電する。バッテリ２５は、例えば充電可能な２次電池により構成され、ウェアラブルカメラ１０の各部に電源電力を供給する。
【００５１】
録画スイッチＳＷ１は、例えば警察官３の押下操作による録画（動画の撮像）の開始／停止の操作指示を入力する押しボタンスイッチである。録画スイッチＳＷ１は、例えば奇数回押下されることで録画（動画の撮像）が開始され、偶数回押下されることで録画が終了する。また、連続して２回押下されると、後述するように、録画スイッチＳＷ１は緊急ボタンとして機能する。
【００５２】
スナップショットスイッチＳＷ２は、例えば警察官３の押下操作による静止画の撮像の操作指示を入力する押しボタンスイッチである。スナップショットスイッチＳＷ２は、例えば押下される度に、押下時の静止画の撮像が実行される。
【００５３】
通信モードスイッチＳＷ３は、例えばウェアラブルカメラ１０と外部機器との間の通信モードを設定するための操作指示を入力するスライドスイッチである。通信モードは、例えばアクセスポイントモード、ステーションモード、ＯＦＦモードを含む。
【００５４】
アクセスポイントモードは、ウェアラブルカメラ１０が無線ＬＡＮのアクセスポイントとして動作し、例えば警察官３が所持するスマートフォン４０と無線接続して、ウェアラブルカメラ１０とスマートフォン４０との間で通信を行うモードである。アクセスポイントモードにおいて、スマートフォン４０は、ウェアラブルカメラ１０と接続することにより、ウェアラブルカメラ１０による現在のライブ画像の表示、録画された画像の再生、撮像された静止画の表示等を行うことができる
【００５５】
ステーションモードは、無線ＬＡＮを用いて外部機器と接続する場合に、外部機器をアクセスポイントとして通信するモードである。例えばスマートフォン４０のテザリング機能を利用し、外部機器としてスマートフォン４０を設定してもよい。ステーションモードにおいて、ウェアラブルカメラ１０は、各種設定、ウェアラブルカメラ１０が保持する録画された画像の転送（アップロード）等を、車載カメラシステム３０や警察署４内のバックエンドクライアント７０やバックエンドサーバ５０に対して行うことができる。
【００５６】
ＯＦＦモードは、無線ＬＡＮの通信動作をオフし、無線ＬＡＮを未使用とするモードである。
【００５７】
属性情報付与スイッチＳＷ４は、映像データに属性情報を付与するために操作される押しボタンスイッチである。
【００５８】
ＬＥＤ２６ａは、例えばウェアラブルカメラ１０の電源投入状態（オンオフ状態）及びバッテリ２５の状態を示す表示部である。ＬＥＤ２６ｂは、例えばウェアラブルカメラ１０の撮像動作の状態（録画状態）を示す表示部である。ＬＥＤ２６ｃは、例えばウェアラブルカメラ１０の通信モードの状態を示す表示部である。また、３個のＬＥＤ２６ａ〜２６ｃは、ウェアラブルカメラ１０がバックエンドサーバ５０から通知データを受信すると、ＭＣＵ１９からの指示に従い、点滅動作を行う。この時、ＭＣＵ１９は、通知データに含まれる、音源に関する情報に応じて、ＭＣＵ１９は、ＬＥＤ２６ａ〜２６ｃの点滅パターンを可変させる。
【００５９】
ジャイロセンサＧＹは、ウェアラブルカメラ１０の角速度（つまり、単位時間あたりの回転角）を検知し、例えばウェアラブルカメラ１０を装着又は所持している警察官３が転倒したこと（Man Down）を検知する。ジャイロセンサＧＹの検知結果はＩ２Ｃ２０を介してＭＣＵ１９に入力される。ウェアラブルカメラ１０は、ジャイロセンサＧＹを用いることで、ウェアラブルカメラ１０を装着又は所持している警察官３の回転に関する挙動（例えば地面に転倒したこと、拳銃で撃たれて地面に倒れたこと、凶器で攻撃されて地面に倒れたこと）を精度良く検知することができる。
【００６０】
加速度センサＡＣは、ウェアラブルカメラ１０の直行座標系の３軸方向（いわゆる、ｘ軸，ｙ軸，ｚ軸）の加速度を検知し、例えばウェアラブルカメラ１０を装着又は所持している警察官３が転倒したこと（Man Down）、走り出したこと、警察官３が所持している拳銃を把持して射撃体勢になったことを検知する。加速度センサＡＣの検知結果はＩ２Ｃ２０を介してＭＣＵ１９に入力される。ウェアラブルカメラ１０は、加速度センサＡＣを用いることで、ウェアラブルカメラ１０を装着又は保持している警察官３の動き又は体勢に関する挙動を精度良く検知することができる。
【００６１】
ＭＣＵ１９は、録画スイッチＳＷ１、スナップショットスイッチＳＷ２、通信モードスイッチＳＷ３及び属性情報付与スイッチＳＷ４の各スイッチの入力検出を行い、操作があったスイッチ入力に対する処理を行う。
【００６２】
ＭＣＵ１９は、録画スイッチＳＷ１の操作入力を検出した場合、撮像部１１における撮像動作の開始又は停止を制御し、撮像部１１から得られた画像を、動画像として記憶部１５に保存する。
【００６３】
ＭＣＵ１９は、スナップショットスイッチＳＷ２の操作入力を検出した場合、スナップショットスイッチＳＷ２が操作されたときの撮像部１１による画像を、静止画像として記憶部１５に保存する。
【００６４】
ＭＣＵ１９は、通信モードスイッチＳＷ３の状態を検出し、通信モードスイッチＳＷ３の設定に応じた通信モードによって通信部２１を動作させる。
【００６５】
ＭＣＵ１９は、属性情報付与スイッチＳＷ４が押下された場合、撮像部１１によって撮像された画像から切り出された顔画像を含む切出しデータに属性情報を付与する。
【００６６】
図５は、本実施形態のウェアラブルカメラシステム５の使用状態でのシステム構成の一例を示すブロック図である。ウェアラブルカメラ１０は、録画を開始する場合、筐体１０ｚの録画スイッチＳＷ１の操作以外に、外部からの指示によっても録画動作の開始が可能となっている。ウェアラブルカメラ１０は、無線ＬＡＮアクセスポイント４５（図示例ではモバイルアクセスポイント）又はスマートフォン４０を介してネットワーク６７に接続され、ＶＰＮルータ６６を経由してバックエンドストリーミングサーバ６５、バックエンドサーバ５０、指令システム９０と接続される。指令システム９０は、本部装置としての機能を有するものであり、バックエンドクライアント９５と、無線通信装置の一例としての警察無線基地局装置９７とを備える。
【００６７】
ウェアラブルカメラ１０は、マイクロホン２９Ａにより、警察無線端末３５からの出力音声によるＤＴＭＦ（Dual Tone Multiple Frequency）信号を入力可能である。警察無線端末３５には、指令システム９０の警察無線基地局装置９７からの音声による指令が伝送され、警察無線端末３５のスピーカから音声出力される。警察無線基地局装置９７は、指令室のオペレータ９８の操作に基づき、第１の録画開始指示として、録画開始等の指示に対応するＤＴＭＦ信号を警察無線端末３５に送信し、ウェアラブルカメラ１０に対してＤＴＭＦ信号による指示を通知可能である。ＤＴＭＦ信号による録画開始等の指示は、例えば、オペレータ９８の操作によってバックエンドクライアント９５又は警察無線基地局装置９７において指示に対応するＤＴＭＦ信号が生成され、警察無線基地局装置９７から対象のウェアラブルカメラ１０に対応する警察無線端末３５宛に伝送される。ここで、指令システム９０のバックエンドクライアント９５が本部装置を構成し、本部装置としては、警察無線基地局装置９７を含む場合もある。ウェアラブルカメラ１０と本部装置とは、ネットワーク６７、無線ＬＡＮ又はＢＬＥによる無線伝送路、警察無線の無線通信路などの種々の通信路を介して接続可能に構成される。
【００６８】
指令システム９０のバックエンドクライアント９５は、バックエンドサーバ５０と接続され、指令室のオペレータ９８の操作に基づき、バックエンドサーバ５０からネットワーク６７を経由して、第２の録画開始指示として、ＩＰ（Internet Protocol）コマンドによる録画開始等の指示をウェアラブルカメラ１０に対して送信可能である。ＩＰコマンドによる録画開始等の指示は、例えば、オペレータ９８のバックエンドクライアント９５の操作によってバックエンドクライアント９５又はバックエンドサーバ５０においてＩＰコマンドが生成され、ネットワーク６７を介して対象のウェアラブルカメラ１０宛に伝送される。
【００６９】
ウェアラブルカメラ１０は、無線ＬＡＮアクセスポイント４５とは無線ＬＡＮ（Ｗ−ＬＡＮ）によって接続され、スマートフォン４０とは無線ＬＡＮ又はＢＬＥによって接続される。また、ウェアラブルカメラ１０は、車載カメラシステム３０と接続する場合、無線ＬＡＮによって車載カメラシステム３０ａと直接接続されるか、或いは、ＢＬＥによって中継装置（ＣＴＢ：Common Trigger Box）３６を経由して車載カメラシステム３０ｂと接続される。
【００７０】
指令室のオペレータ９８により録画開始の操作がなされると、指令システム９０のバックエンドクライアント９５は、録画開始指示を示すＤＴＭＦ信号を生成し、警察無線基地局装置９７から警察無線端末３５にＤＴＭＦ信号を送信し、警察無線端末３５を介してウェアラブルカメラ１０に、第１の録画開始指示としてのＤＴＭＦ信号による録画開始指示を伝送する。また、バックエンドクライアント９５は、第２の録画開始指示としてのＩＰコマンドによる録画開始指示を送信し、ネットワーク６７を経由して無線ＬＡＮアクセスポイント４５又はスマートフォン４０を介してウェアラブルカメラ１０にＩＰコマンドによる録画開始指示を伝送する。なお、録画開始指示と同様に、ＤＴＭＦ信号又はＩＰコマンドによる録画停止指示を指令システム９０からウェアラブルカメラ１０に伝送することも可能である。ＤＴＭＦ信号による録画開始指示、及びＩＰコマンドによる録画開始指示を伝送する手順については、一例を後述する。
【００７１】
図６は、本実施形態の指令システム９０の構成の一例を示すブロック図である。指令システム９０は、バックエンドクライアント９５と、警察無線基地局装置９７とを有する構成である。バックエンドクライアント９５は、例えばＰＣにより構成され、ＣＰＵ９５１、Ｉ／Ｏ制御部９５２、通信部９５３、メモリ９５４、入力デバイス９５５、モニタ９５６、スピーカ９５７を備える。ここで、バックエンドクライアント９５又は警察無線基地局装置９７が、録画開始指示をウェアラブルカメラ１０に対して送信する送信部としての機能を有する。例えば、警察無線基地局装置９７が第１送信部として機能し、バックエンドクライアント９５の通信部９５３が第２送信部として機能する。
【００７２】
ＣＰＵ９５１は、例えばバックエンドクライアント９５の各部の動作を全体的に統括するための制御処理、他の各部との間のデータの入出力処理、データの演算（計算）処理及びデータの記憶処理を行う。ＣＰＵ９５１は、メモリ９５４に記憶されたプログラム及びデータに従って動作する。
【００７３】
また、バックエンドクライアント９５は、ＣＰＵ９５１にて動作するアプリケーションプログラムの実行により実現可能な音声コマンド生成部の一例としてのＤＴＭＦ生成部９６を有する。ＤＴＭＦ生成部９６は、録画開始指示コマンド、対象機器識別情報、等の指示情報を含む音声信号のＤＴＭＦ信号を生成する。なお、ＤＴＭＦ生成部９６は、バックエンドクライアント９５内の他の回路ブロック、又はバックエンドクライアント９５とは別体の装置において、ソフトウェア又はハードウェアにより実現されるもので構成してもよい。ＤＴＭＦ生成部９６は、複数のバックエンドクライアント９５からの録画開始指示情報を入力し、録画開始指示のためのＤＴＭＦ信号を生成可能である。なお、無線通信により録画開始指示を伝送するための音声信号はＤＴＭＦ信号に限定されず、録画開始指示等の指示情報を包含可能な信号であれば、他の音声信号を用いてもよい。また、バックエンドクライアント９５のＣＰＵ９５１は、アプリケーションプログラムの実行により実現可能なＩＰコマンド生成部９５９を有する。ＩＰコマンド生成部９５９は、録画開始指示等の各種指示を行うＩＰコマンドを生成する。なお、ネットワークを介して録画開始指示を伝送するための指示情報はＩＰコマンドに限定されず、他の通信符号による指示情報を用いてもよい。
【００７４】
Ｉ／Ｏ制御部９５２は、ＣＰＵ９５１とバックエンドクライアント９５の各部（例えば通信部９５３、入力デバイス９５５、モニタ９５６）との間でデータの入出力に関する制御を行い、ＣＰＵ９５１からのデータ及びＣＰＵ９５１へのデータの中継を行う。なお、Ｉ／Ｏ制御部９５２は、ＣＰＵ９５１と一体的に構成されてもよい。
【００７５】
通信部９５３は、ネットワーク９１０と通信可能に接続され、例えばバックエンドサーバ５０は、バックエンドストリーミングサーバ６５、ウェアラブルカメラ１０、車載カメラシステム３０、スマートフォン４０との間で、有線又は無線による通信を行う。
【００７６】
メモリ９５４は、例えばＲＡＭ、ＲＯＭ、不揮発性又は揮発性の半導体メモリを用いて構成され、ＣＰＵ９５１の動作時のワークメモリとして機能し、ＣＰＵ９５１を動作させるための所定のプログラム及びデータを保存している。
【００７７】
入力デバイス９５５は、オペレータ９８の入力操作を受け付け、Ｉ／Ｏ制御部９５２を介してＣＰＵ９５１に通知するためのＵＩであり、例えばマウス、キーボード等の入力機能を有するデバイスである。入力デバイス９５５は、例えばモニタ９５６の画面に対応して配置され、オペレータ９８の指又はスタイラスペンによって操作が可能なタッチパネル又はタッチパッドを用いて構成されてもよい。
【００７８】
モニタ９５６は、例えばＬＣＤ又は有機ＥＬ等の表示デバイスを用いて構成され、各種情報を表示する。モニタ９５６は、例えば外部からの通報、警察官３からの連絡、オペレータ９８の入力操作等に応じて、各種情報を表示する。例えばウェアラブルカメラ１０への録画開始指示を送信する場合、モニタ９５６は、ＣＰＵ９５１の制御の下で、指示内容、指示対象などの関連情報を表示する。
【００７９】
スピーカ９５７は、オペレータ９８の入力操作に応じて、ＣＰＵ９５１の制御の下で、バックエンドクライアント９５における再生音声を出力する。ＤＴＭＦ信号を伝送する場合、スピーカ９５７は、ＤＴＭＦ生成部９６により生成されたＤＴＭＦ信号を音声出力する。
【００８０】
警察無線基地局装置９７は、警察無線の無線方式による無線通信の送受信を行う無線基地局であり、警察署４の管轄区域にある警察無線端末３５との間で音声の送信、受信を行う。警察無線基地局装置９７は、通話のためのマイクロホン９７１とスピーカ９７２とを備える。警察無線を使用してＤＴＭＦ信号による録画開始指示を送信する場合、複数のウェアラブルカメラ１０に対して録画開始指示を同報送信することも可能である。
【００８１】
図７は、本実施形態において使用するＤＴＭＦ信号の一例を示す図であり、（Ａ）は信号フォーマットの一例を示す図、（Ｂ）は各信号ブロックの値の具体例を示す図である。本実施形態では、異なる２つの周波数の音声信号を組み合わせたＤＴＭＦ信号を利用して、ウェアラブルカメラ１０に対して音声信号による録画開始指示を伝送可能となっている。ＤＴＭＦ信号は、所定周波数の音声信号により情報を伝送可能なアナログ音声信号である。図７（Ａ）に示すように、ＤＴＭＦ信号の信号フォーマットは、録画開始の指示を示す録画開始コマンドを２回、対象となるウェアラブルカメラを示す対象ＢＷＣ番号を２回、コマンドと対象機器情報とをそれぞれ２回ずつ繰り返すものとする。ＤＴＭＦ信号による録画開始指示は、ウェアラブルカメラ１０における受信エラーを削減するため、同一の情報を２回ずつ送信する。
【００８２】
図７（Ｂ）に示すように、ＤＴＭＦ信号の値は、録画開始コマンドの値を「ＡＡＢＢＣＣ９９１１１１」、個別の対象ＢＷＣ番号の値を「ＢＢＣＣ＊１２３４５６」（この場合は機器番号が１２３４５６のウェアラブルカメラが対象）、全機器対象の対象ＢＷＣ番号の値を「ＢＢＣＣ＊００００００」とする。なお、全てのウェアラブルカメラを対象とする場合、録画開始コマンドのみを各ウェアラブルカメラに同報送信して対象ＢＷＣ番号を送信しないようにし、録画開始コマンドを受信したウェアラブルカメラは全て録画動作を開始するようにしてもよい。この場合、例えば伝送路の通信品質の劣化等により録画開始コマンドのみが受信され、対象ＢＷＣ番号が正常に受信されなかった場合、或いは受信エラーによって対象ＢＷＣ番号が受信できなかった場合においても、該当のウェアラブルカメラは録画動作を開始する。
【００８３】
以下に、上記構成を有するウェアラブルカメラシステム５の動作について説明する。本実施形態では、ウェアラブルカメラ１０にて撮像した映像データを記録する場合に、ウェアラブルカメラ１０を装着した警察官３の操作だけでなく、指令システム９０等からのＩＰコマンド又はＤＴＭＦ信号による録画開始指示に基づき、外部指示又は遠隔指示によって録画動作を開始できるようにする。例えば、事件が発生した際、急いでいる、手が離せない等の理由により、警察官３がウェアラブルカメラ１０の録画スイッチＳＷ１を押下することができない場合を想定し、ＩＰコマンド又はＤＴＭＦ信号による録画開始指示によって録画を開始する。
【００８４】
（第１の実施形態の動作）
図８は、第１の実施形態のウェアラブルカメラシステム５における録画開始手順の一例を示すシーケンス図である。第１の実施形態では、指令システム９０より警察無線を用いてＤＴＭＦ信号による録画開始指示をウェアラブルカメラ１０に伝送し、ウェアラブルカメラ１０からのＡＣＫ（Acknowledgement）メッセージをネットワーク６７を経由してバックエンドクライアント９５にて受信する動作例を示す。
【００８５】
指令室のオペレータ９８は、事件の発生状況、警察無線の通信状況などに基づき、ウェアラブルカメラ１０の録画開始操作が必要であると判断し、指令システム９０のバックエンドクライアント９５を用いて録画開始指示の入力操作を行う。バックエンドクライアント９５は、録画開始指示の入力を受けると（Ｔ１１）、ＤＴＭＦ生成部９６にＤＴＭＦ送信要求を出力する（Ｔ１２）。ＤＴＭＦ生成部９６は、ＤＴＭＦ送信要求を受けると、ＡＣＫ信号を返信し（Ｔ１３）、録画開始指示コマンドを含むＤＴＭＦ信号を生成する（Ｔ１４）。ＤＴＭＦ生成部９６は、生成したＤＴＭＦ信号をバックエンドクライアント９５と警察無線基地局装置９７に送信する（Ｔ１５、Ｔ１６）。バックエンドクライアント９５は、スピーカ９５７よりＤＴＭＦ信号を再生出力する（Ｔ１７）。指令室のオペレータ９８は、ＤＴＭＦ信号の再生音声を聴取することにより、録画開始指示のためのＤＴＭＦ信号の音をモニタして確認できる。
【００８６】
警察無線基地局装置９７は、バックエンドクライアント９５にて再生されたＤＴＭＦ信号の音声をマイクロホン９７１にて入力するか、或いはＤＴＭＦ生成部９６からＤＴＭＦ信号を入力し、ＤＴＭＦ信号を警察無線の無線信号に変換して警察無線端末３５に送信する（Ｔ１８）。事件の現場に派遣された警察官３は、ウェアラブルカメラ１０と警察無線端末３５を装着又は所持している。警察無線端末３５は、警察無線基地局装置９７からの無線信号を受信し、ＤＴＭＦ信号を再生出力する。
【００８７】
警察無線端末３５の近傍にあるウェアラブルカメラ１０は、マイクロホン２９Ａにより録画開始指示コマンドを含むＤＴＭＦ信号を入力する（Ｔ１９）。ウェアラブルカメラ１０は、常時マイクロホン２９ＡからのＤＴＭＦ信号の入力を待ち受け可能となっている。ウェアラブルカメラ１０は、ＤＴＭＦ信号による録画開始指示を受けると、録画動作の開始を判断し、撮像部１１にて撮像した映像データを記憶部１５に記録する動作を開始する（Ｔ２０）。また、ウェアラブルカメラ１０は、ＤＴＭＦ信号による録画開始指示に対して、ＡＣＫ送信要求をＢＬＥ等の無線通信によってスマートフォン４０に送信する（Ｔ２１）。スマートフォン４０は、ウェアラブルカメラ１０からのＡＣＫ送信要求を受信すると、ＡＣＫメッセージをＬＴＥ（Long Term Evolution）等のモバイル通信のネットワーク６７を介してバックエンドサーバ５０に送信する（Ｔ２２）。なお、ウェアラブルカメラ１０とスマートフォン４０との間の通信、スマートフォン４０とバックエンドサーバ５０との間の通信は、ＢＬＥ、ＬＴＥに限定されず、無線ＬＡＮなどの他の通信手段を用いてもよい。
【００８８】
バックエンドサーバ５０は、受信したＡＣＫメッセージをバックエンドクライアント９５に伝送する（Ｔ２３）。バックエンドクライアント９５は、録画開始指示のためのＤＴＭＦ送信要求に対するＡＣＫメッセージを受信すると、ＤＴＭＦ信号による録画開始指示がウェアラブルカメラ１０にて正常に受信されたことを認識し、録画動作が開始されたことを示す録画開始メッセージをモニタ９５６に表示する（Ｔ２４）。指令室のオペレータ９８は、バックエンドクライアント９５のモニタ９５６に表示された録画開始メッセージを目視することにより、ウェアラブルカメラ１０の録画開始を確認できる。
【００８９】
（第２の実施形態の動作）
図９は、第２の実施形態のウェアラブルカメラシステム５における録画開始手順の一例を示すシーケンス図である。第２の実施形態では、指令システム９０よりネットワーク６７を経由してＩＰコマンドによる録画開始指示をウェアラブルカメラ１０に伝送し、ウェアラブルカメラ１０からのＡＣＫメッセージをネットワーク６７を経由してバックエンドクライアント９５にて受信する動作例を示す。
【００９０】
指令室のオペレータ９８は、事件の発生状況、警察無線の通信状況などに基づき、ウェアラブルカメラ１０の録画開始操作が必要であると判断し、指令システム９０のバックエンドクライアント９５を用いて録画開始指示の入力操作を行う。バックエンドクライアント９５は、録画開始指示の入力を受けると（Ｔ３１）、ＩＰコマンドによる録画開始コマンドを生成してバックエンドサーバ５０に送信する（Ｔ３２）。指令室のオペレータ９８は、バックエンドクライアント９５のモニタ９５６に表示された録画開始指示送信メッセージを目視することにより、ウェアラブルカメラ１０に対する録画開始指示の送信を確認できる。
【００９１】
バックエンドサーバ５０は、バックエンドクライアント９５から受信した録画開始コマンドをネットワーク６７を介してスマートフォン４０に送信する（Ｔ３３）。スマートフォン４０は、受信した録画開始コマンドをＢＬＥ等の無線通信によってウェアラブルカメラ１０に送信する（Ｔ３４）。
【００９２】
ウェアラブルカメラ１０は、ＩＰコマンドの録画開始コマンドによる録画開始指示を受けると、録画動作の開始を判断し、撮像部１１にて撮像した映像データを記憶部１５に記録する動作を開始する（Ｔ３５）。また、ウェアラブルカメラ１０は、録画開始コマンドによる録画開始指示に対して、ＡＣＫメッセージをＢＬＥ等の無線通信によってスマートフォン４０に送信する（Ｔ３６）。スマートフォン４０は、ウェアラブルカメラ１０から受信したＡＣＫメッセージをＬＴＥ等のモバイル通信のネットワーク６７を介してバックエンドサーバ５０に送信する（Ｔ３７）。なお、ウェアラブルカメラ１０とスマートフォン４０との間の通信、スマートフォン４０とバックエンドサーバ５０との間の通信は、ＢＬＥ、ＬＴＥに限定されず、無線ＬＡＮなどの他の通信手段を用いてもよい。
【００９３】
バックエンドサーバ５０は、受信したＡＣＫメッセージをバックエンドクライアント９５に伝送する（Ｔ３８）。バックエンドクライアント９５は、録画開始指示のための録画開始コマンドに対するＡＣＫメッセージを受信すると、録画開始コマンドによる録画開始指示がウェアラブルカメラ１０にて正常に受信されたことを認識し、録画動作が開始されたことを示す録画開始メッセージをモニタ９５６に表示する（Ｔ３９）。指令室のオペレータ９８は、バックエンドクライアント９５のモニタ９５６に表示された録画開始メッセージを目視することにより、ウェアラブルカメラ１０の録画開始を確認できる。
【００９４】
（第３の実施形態の構成及び動作）
図１０は、第３の実施形態のウェアラブルカメラ１０Ａ及び警察無線端末３５の構成の一例を示すブロック図、図１１は、第３の実施形態のウェアラブルカメラシステム５における録画開始手順の一例を示すシーケンス図である。第３の実施形態では、指令システム９０より警察無線を用いてＤＴＭＦ信号による録画開始指示をウェアラブルカメラ１０Ａに伝送し、ウェアラブルカメラ１０ＡからのＡＣＫメッセージを警察無線を用いてＤＴＭＦ信号によるＡＣＫ信号として伝送し、バックエンドクライアント９５にて受信する動作例を示す。
【００９５】
ウェアラブルカメラ１０Ａは、カメラ本体１２０とマイクスイッチ部１３０とを含む構成である。カメラ本体１２０は、図４に示したウェアラブルカメラ１０と同様の構成を有するものであり、撮像部１１を含むカメラ部１２１、ＭＣＵ１２２を備える。マイクスイッチ部１３０は、ＰＴＴ（Push to Talk）スイッチ１３１、ＰＴＴスイッチ情報出力部１３２、音声信号処理部１３４、マイクロホン１３３、ＤＴＭＦ生成部１３５を備える。マイクスイッチ部１３０は、警察無線端末３５と接続され、警察無線端末３５及びウェアラブルカメラ１０Ａのスイッチ操作、及び通話音声及び各種音声の収音を行うものである。マイクスイッチ部１３０は、カメラ本体１２０と一体又は別体に構成され、警察官３がスイッチ操作及びマイク収音を行い易いように装着又は配置される。この場合、マイクスイッチ部１３０は、ウェアラブルカメラ１０Ａ及び警察無線端末３５の収音部を兼ねるものであり、ピンマイク、ヘッドセット等により構成すればよい。
【００９６】
ＰＴＴスイッチ１３１は、いわゆるプッシュトゥトークを行うためのスイッチであり、スイッチ押下操作時に警察無線端末３５の通話送信を行うスイッチである。ＰＴＴスイッチ情報出力部１３２は、ＰＴＴスイッチ１３１が押下されたことを示す操作情報を、警察無線端末３５とウェアラブルカメラ１０ＡのＭＣＵ１２２に出力する。ＰＴＴスイッチ情報出力部１３２は、ＰＴＴスイッチ１３１の押下操作時に加えて、ＤＴＭＦ信号によるＡＣＫ信号を送信する際にもＰＴＴスイッチの操作情報を出力する。マイクロホン１３３は、ウェアラブルカメラ１０Ａ及び警察無線端末３５の収音部として機能し、周囲の音声を収音して音声信号を出力する。ＤＴＭＦ生成部１３５は、ＡＣＫ情報を含む音声信号のＤＴＭＦ信号を生成する。音声信号処理部１３４は、マイクロホン１３３にて収音された音声信号又はＤＴＭＦ生成部１３５により生成されたＤＴＭＦ信号によるＡＣＫ信号を処理し、警察無線端末３５とウェアラブルカメラ１０ＡのＭＣＵ１２２に出力する。なお、ＤＴＭＦ生成部１３５は、カメラ本体１２０に設けてもよい。
【００９７】
図１１に示すように、指令室のオペレータ９８は、事件の発生状況、警察無線の通信状況などに基づき、ウェアラブルカメラ１０の録画開始操作が必要であると判断し、指令システム９０のバックエンドクライアント９５を用いて録画開始指示の入力操作を行う。バックエンドクライアント９５は、録画開始指示の入力を受けると（Ｔ５１）、ＤＴＭＦ生成部９６にＤＴＭＦ送信要求を出力する（Ｔ５２）。ＤＴＭＦ生成部９６は、ＤＴＭＦ送信要求を受けると、ＡＣＫ信号を返信し（Ｔ５３）、録画開始指示コマンドを含むＤＴＭＦ信号を生成する（Ｔ５４）。ＤＴＭＦ生成部９６は、生成したＤＴＭＦ信号をバックエンドクライアント９５と警察無線基地局装置９７に送信する（Ｔ５５、Ｔ５６）。バックエンドクライアント９５は、スピーカ９５７よりＤＴＭＦ信号を再生出力する（Ｔ５７）。指令室のオペレータ９８は、ＤＴＭＦ信号の再生音声を聴取することにより、録画開始指示のためのＤＴＭＦ信号の音をモニタして確認できる。
【００９８】
警察無線基地局装置９７は、バックエンドクライアント９５にて再生されたＤＴＭＦ信号の音声をマイクロホン９７１にて入力するか、或いはＤＴＭＦ生成部９６からＤＴＭＦ信号を入力し、ＤＴＭＦ信号を警察無線の無線信号に変換して警察無線端末３５に送信する（Ｔ５８）。事件の現場に派遣された警察官３は、ウェアラブルカメラ１０と警察無線端末３５を装着又は所持している。警察無線端末３５は、警察無線基地局装置９７からの無線信号を受信し、ＤＴＭＦ信号を再生出力する。
【００９９】
警察無線端末３５の近傍にあるウェアラブルカメラ１０Ａは、マイクロホン１３３により録画開始指示コマンドを含むＤＴＭＦ信号を入力する（Ｔ５９）。ウェアラブルカメラ１０Ａは、ＤＴＭＦ信号による録画開始指示を受けると、録画動作の開始を判断し、カメラ部１２１にて撮像した映像データを記録する動作を開始する（Ｔ６０）。また、ウェアラブルカメラ１０Ａは、ＤＴＭＦ信号による録画開始指示に対して、ＤＴＭＦ生成部１３５によりＡＣＫ情報を含むＤＴＭＦ信号を生成し、ＤＴＭＦ信号のＡＣＫ信号を警察無線端末３５に出力する（Ｔ６１）。
【０１００】
警察無線端末３５は、ＤＴＭＦ生成部１３５からＤＴＭＦ信号のＡＣＫ信号を入力し、ＤＴＭＦ信号を警察無線の無線信号に変換して警察無線基地局装置９７に送信する（Ｔ６２）。警察無線基地局装置９７は、警察無線端末３５からの無線信号を受信し、ＤＴＭＦ信号のＡＣＫ信号を再生出力する（Ｔ６３）。なお、警察無線により伝送するＡＣＫ信号は、ＤＴＭＦ信号の代わりに、所定の音声、ビープ音など、識別可能な他の音声信号を用いてもよい。指令室のオペレータ９８は、ＤＴＭＦ信号のＡＣＫ信号の再生音声を聴取することにより、ＤＴＭＦ信号による録画開始指示がウェアラブルカメラ１０Ａにて正常に受信され、録画動作が開始されたことを認識し、ウェアラブルカメラ１０Ａの録画開始を確認できる。
【０１０１】
図１２は、本実施形態のウェアラブルカメラ１０における録画処理の一例を示すフローチャートである。図１２では、図８又は図１１に示したＤＴＭＦ信号による録画開始処理と、図９に示したＩＰコマンドによる録画開始処理のいずれにも対応可能とした処理を示す。
【０１０２】
ウェアラブルカメラ１０は、録画処理の実行に際して、ＤＴＭＦ信号による録画開始指示を受信したか（Ｓ１１）、ＩＰコマンドによる録画開始指示を受信したか（Ｓ１２）、録画開始ボタンが押下されたか（Ｓ１３）をそれぞれ判定し、いずれかの録画開始指示を受信するまで待機する。ＤＴＭＦ信号による録画開始指示又はＩＰコマンドによる録画開始指示の受信、或いは録画開始ボタンの押下を受けると、ウェアラブルカメラ１０は、録画動作を開始し、撮像部１１にて撮像された映像データの記憶部１５への記録を始める（Ｓ１４）。そして、ウェアラブルカメラ１０は、ＤＴＭＦ信号による録画停止指示を受信したか（Ｓ１５）、ＩＰコマンドによる録画停止指示を受信したか（Ｓ１６）、録画停止ボタンが押下されたか（Ｓ１７）、所定時間に設定されたタイマーが満了したか（Ｓ１８）をそれぞれ判定し、いずれかの録画停止指示の受信又はタイマー満了まで録画動作を継続する。ＤＴＭＦ信号による録画停止指示又はＩＰコマンドによる録画停止指示の受信、或いは録画停止ボタンの押下、若しくはタイマーが満了すると、ウェアラブルカメラ１０は、録画動作を停止し、撮像部１１にて撮像された映像データの記憶部１５への記録を終了する（Ｓ１９）。
【０１０３】
図１３は、本実施形態のバックエンドクライアント７０における録画処理の一例を示すフローチャートである。図１３では、図９に示したＩＰコマンドによる録画開始処理と、図８に示したＤＴＭＦ信号による録画開始処理のいずれにも対応可能とした処理を示す。
【０１０４】
バックエンドクライアント７０は、指令室のオペレータ９８からの録画開始操作の入力があったかを判定し、録画開始操作の入力があるまで待機する（Ｓ２１）。録画開始操作がなされると、バックエンドクライアント７０は、ＩＰコマンドによる録画開始処理を実行する（Ｓ２２）。ＩＰコマンドによる録画開始処理は、図９に示したＩＰコマンドによる録画開始指示（録画開始コマンド）のウェアラブルカメラ１０への送信を行う。この際、バックエンドクライアント７０は、ウェアラブルカメラ１０からの録画開始指示の受領応答（ＡＣＫメッセージ）を待機する時間として、所定時間のタイマー設定を行い（Ｓ２３）、モニタ９５６に動作状態表示として“応答待ち中”のメッセージを表示する（Ｓ２４）。そして、バックエンドクライアント７０は、ウェアラブルカメラ１０からのＡＣＫメッセージを受信したかを判定し（Ｓ２５）、ＡＣＫメッセージを受信した場合は、ＩＰコマンドによる録画開始指示がウェアラブルカメラ１０にて正常に受信されたことを認識し、モニタ９５６に動作状態表示として“録画開始を確認”のメッセージを表示する（Ｓ２６）。
【０１０５】
バックエンドクライアント７０は、ステップＳ２５において、ウェアラブルカメラ１０からのＡＣＫメッセージを受信しない場合、ステップＳ２３にて設定したタイマーが満了（所定時間のカウントを終了）したかを判定し（Ｓ２７）、タイマーが満了するまで待機する。所定時間のタイマーが満了した場合、バックエンドクライアント７０は、ＤＴＭＦ信号による録画開始処理を実行する（Ｓ２８）。ＤＴＭＦ信号による録画開始処理は、図８に示したＤＴＭＦ信号による録画開始指示のウェアラブルカメラ１０への送信を行う。この際、バックエンドクライアント７０は、モニタ９５６に動作状態表示として“ＤＴＭＦによる録画要求送信”のメッセージを表示する（Ｓ２９）。そして、バックエンドクライアント７０は、ウェアラブルカメラ１０からのＡＣＫメッセージを受信したかを判定し（Ｓ３０）、ＡＣＫメッセージを受信した場合は、ＤＴＭＦ信号による録画開始指示がウェアラブルカメラ１０にて正常に受信されたことを認識し、モニタ９５６に動作状態表示として“録画開始を確認”のメッセージを表示する（Ｓ３１）。なお、図１１に示したように、録画開始指示に対してＤＴＭＦ信号によるＡＣＫ信号を受信する場合は、オペレータ９８が警察無線基地局装置９７によってＡＣＫ信号の受信を確認できるので、ステップＳ３０、Ｓ３１の手順を省略する。
【０１０６】
上述したように、本実施形態では、警察官が主体的に録画の操作をしなくても、ＤＴＭＦ信号による録画開始指示又はＩＰコマンドによる録画開始指示によって、ウェアラブルカメラにより撮像された映像の録画動作を開始させることができる。このため、事件発生時など、突発的に録画が必要な場合であっても、録画漏れを低減でき、業務を効率的に支援できる。
【０１０７】
本実施形態のウェアラブルカメラシステムでは、警察官等のユーザの装着又は所持が可能なウェアラブルカメラ１０と、ウェアラブルカメラ１０と通信路を介して接続可能である、指令システム９０のバックエンドクライアント９５等を含む本部装置とを有する。ウェアラブルカメラ１０は、被写体を撮像する撮像部１１と、撮像された被写体の映像を録画する記憶部１５と、本部装置からの指示を受信する受信部としての、本部装置との間で通信を行う通信部２１、音声信号を収音するマイクロホン２９Ａ等を備える。本部装置は、音声信号による指示情報を生成する音声コマンド生成部と、音声信号による第１の録画開始指示を送信する第１送信部と、通信符号による第２の録画開始指示を送信する第２送信部と、を備える。音声コマンド生成部としては、例えば、所定周波数の音声信号により情報を伝送可能なＤＴＭＦ信号を生成するＤＴＭＦ生成部９６を有する。第１送信部としては、例えば、ＤＴＭＦ信号による第１の録画開始指示を送信するものとして、警察無線の無線通信路を用いて通話音声等の音声信号を伝送する警察無線基地局装置９７を有する。第２送信部としては、例えば、ＩＰコマンドによる第２の録画開始指示を送信するものとして、バックエンドクライアント９５の通信部９５３を有する。本部装置は、第１の録画開始指示と第２の録画開始指示とのうち、少なくとも一方の録画開始指示をウェアラブルカメラ１０に対して送信する。ウェアラブルカメラ１０は、本部装置から送信された第１の録画開始指示又は第２の録画開始指示を受信した場合に、撮像部１１により撮像された被写体の映像の録画を開始し、記憶部１５に映像データを記録する。
【０１０８】
これにより、ウェアラブルカメラ１０は、本部装置から送信される、音声信号による第１の録画開始指示と通信符号による第２の録画開始指示のいずれかを受信することによって、被写体の映像の録画を開始できる。このため、警察官等のユーザは、主体的に録画の操作をしなくても、本部装置からの録画開始指示によってウェアラブルカメラの録画動作を開始することが可能となる。
【０１０９】
なお、ウェアラブルカメラシステムとしては、ウェアラブルカメラ１０において、第１の録画開始指示のみが受信される場合、第２の録画開始指示のみが受信される場合、第１の録画開始指示と第２の録画開始指示の両方が受信可能であり、早く受信された方の録画開始指示によって録画開始する場合、第１の録画開始指示又は第２の録画開始指示のいずれか一方が受信されなかった場合に、他のもう一方の録画開始指示の受信によって録画開始する場合など、種々の形態が想定される。
【０１１０】
また、本実施形態のウェアラブルカメラシステムでは、警察官等のユーザにおいて装着又は所持し音声通話が可能な無線通信端末として、例えば警察無線端末３５を備え、本部装置は、無線通信端末との間で無線通信を行う無線通信装置として、例えば警察無線基地局装置９７を備え、無線通信装置によって第１の録画開始指示を無線通信端末に対して送信する。ウェアラブルカメラ１０は、無線通信端末の受信音声を収音する収音部として、例えばマイクロホン２９Ａを備え、収音部により第１の録画開始指示を受信した場合に、撮像部１１により撮像された前記被写体の映像の録画を開始する。
【０１１１】
これにより、指令システム９０のバックエンドクライアント９５等を含む本部装置は、警察無線等の無線通信を用いて音声信号による第１の録画開始指示をユーザが装着又は所持する無線通信端末に対して送信し、ウェアラブルカメラ１０は、無線通信端末に送信された第１の録画開始指示を収音部により受信することによって、被写体の映像の録画を開始できる。このように、警察無線等の予め設置された既存の無線通信システムを用いて、第１の録画開始指示を伝送し、ウェアラブルカメラ１０に対して録画開始を指示することが可能となる。警察署では、各警察官に指令を伝達するための警察無線システムが設置され、警察官は警察無線端末３５を携行しているため、警察無線を用いることによって、音声信号による第１の録画開始指示を伝送可能である。
【０１１２】
また、本実施形態のウェアラブルカメラシステムでは、本部装置は、ウェアラブルカメラ１０に対して第２の録画開始指示を送信し、第２の録画開始指示に対するウェアラブルカメラ１０からの応答が受信できない場合に、第１の録画開始指示を送信する。例えば、ＩＰコマンドによる第２の録画開始指示を送信し、ウェアラブルカメラ１０からの応答が無い場合に、例えば警察無線等の無線通信を用いてＤＴＭＦ信号等の音声信号による第１の録画開始指示を送信することによって、より確実にウェアラブルカメラ１０に対して録画開始指示を伝送し、録画動作を開始できる。
【０１１３】
また、本実施形態のウェアラブルカメラシステムでは、本部装置は、第１の録画開始指示を送信する場合、複数のウェアラブルカメラ１０に対して第１の録画開始指示を同報送信する。これにより、複数のウェアラブルカメラ１０に対して、一斉に録画開始を指示することができる。この際、例えば警察無線等の無線通信を利用し、ＤＴＭＦ信号等の音声信号を用いて、第１の録画開始指示を容易に同報送信できる。
【０１１４】
また、本実施形態のウェアラブルカメラシステムにおける録画制御方法では、本部装置は、音声信号による指示情報を生成し、音声信号による第１の録画開始指示と、通信符号による第２の録画開始指示とのうち、少なくとも一方の録画開始指示を前記ウェアラブルカメラに対して送信し、ウェアラブルカメラ１０は、被写体を撮像し、本部装置から送信された第１の録画開始指示又は第２の録画開始指示を受信した場合に、撮像された被写体の映像の録画を開始する。
【０１１５】
これにより、警察官等のユーザは、主体的に録画の操作をしなくても、本部装置からの録画開始指示によってウェアラブルカメラの録画動作を開始することが可能となる。
【０１１６】
なお、上述した実施形態では、ユーザとして警察署及び警察官が使用するウェアラブルカメラシステムの構成例を示したが、本実施形態は、警備会社及び警備員など、他の組織において用いられるウェアラブルカメラシステムとしても適用可能である。
【０１１７】
なお、図１０及び図１１に示した第３の実施形態の場合は、ＩＰコマンド等による第２の録画開始指示を伝送する構成（ネットワーク６７、スマートフォン４０、無線ＬＡＮアクセスポイント４５、バックエンドサーバ５０等）は必ずしも必要ではなく、警察無線基地局装置９７及び警察無線端末３５によってＤＴＭＦ信号等による第１の録画開始指示を伝送可能な構成であればよい。
【０１１８】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施形態における各構成要素を任意に組み合わせてもよい。
【産業上の利用可能性】
【０１１９】
本発明は、ユーザが主体的に録画の操作をしなくても、ウェアラブルカメラにより撮像された映像の録画を開始して録画漏れを低減し、業務を効率的に支援するウェアラブルカメラシステム及び録画制御方法として有用である。
【符号の説明】
【０１２０】
３  警察官
４  警察署
５  ウェアラブルカメラシステム
８  署内システム
１０，１０Ａ  ウェアラブルカメラ（ＢＷＣ）
１０ｚ  筐体
１１  撮像部
１１ｚ  撮像レンズ
１２  ＧＰＩＯ
１３  ＲＡＭ
１４  ＲＯＭ
１５  記憶部
１６  ＥＥＰＲＯＭ
１７  ＲＴＣ
１８  ＧＰＳ受信部
１９  ＭＣＵ
２１  通信部
２２  ＵＳＢインターフェース
２３  コンタクトターミナル
２４  電源部
２５  バッテリ
２６ａ，２６ｂ，２６ｃ  ＬＥＤ
２７  バイブレータ
２８  ＬＣＤ
２９Ａ  マイクロホン
２９Ｂ  スピーカ
２９Ｃ  イヤホン端子
３０  車載カメラシステム
３１  車載カメラ
３２  車載ＰＣ
３３  車載レコーダ
３５  警察無線端末
４０  スマートフォン
４５、６３  無線ＬＡＮアクセスポイント
５０  バックエンドサーバ（ＢＥＳ）
６５  バックエンドストリーミングサーバ（ＢＳＳ）
６７、９１０  ネットワーク
６８  集合充電台
７０、９５  バックエンドクライアント（ＢＥＣ）
９０  指令システム
９６、１３５  ＤＴＭＦ生成部
９７  警察無線基地局装置
９８  オペレータ
９５１  ＣＰＵ
９５２  Ｉ／Ｏ制御部
９５３  通信部
９５４  メモリ
９５５  入力デバイス
９５６  モニタ
９５７、９７２  スピーカ
９７１  マイクロホン
１２０  カメラ本体
１２１  カメラ部
１２２  ＭＣＵ
１３０  マイクスイッチ部
１３１  ＰＴＴスイッチ
１３２  ＰＴＴスイッチ情報出力部
１３３  マイクロホン
ＳＷ１  録画スイッチ
ＳＷ２  スナップショットスイッチ
ＳＷ３  通信モードスイッチ
ＳＷ４  属性情報付与スイッチ
【図１】
2018037963.tif 000003
【図２】
2018037963.tif 000004
【図３】
2018037963.tif 000005
【図４】
2018037963.tif 000006
【図５】
2018037963.tif 000007
【図６】
2018037963.tif 000008
【図７】
2018037963.tif 000009
【図８】
2018037963.tif 000010
【図９】
2018037963.tif 000011
【図１０】
2018037963.tif 000012
【図１１】
2018037963.tif 000013
【図１２】
2018037963.tif 000014
【図１３】
2018037963.tif 000015